(57)【特許請求の範囲】
【請求項１】
カメラ部と該カメラ部により撮像した画像を記録再生する記録再生装置と前記画像を表示する表示装置を備え、かつ、裏面には、記録媒体取出し蓋と、信号入出力系及び電源系の接続切片が設けられたカメラ付表示装置一体型記録再生装置が着脱自在に電気的かつ機械的に接続される接続装置であって、前記カメラ付表示装置一体型記録再生装置の前記接続切片が設けられた面がスライドして取付けられる取付け面を有し、かつ前記記録媒体取出し蓋が開閉する対向位置に、前記記録媒体取出し蓋の開閉のための空間を確保する逃げ凹部を設け、前記カメラ付表示装置一体型記録再生装置の設置状態においても、前記カメラ付表示装置一体型記録再生装置内に収納された記録媒体の出し入れを可能にしたことを特徴とする接続装置。
【請求項２】
前記カメラ付表示装置一体型記録再生装置を取付ける前記取付け面を傾斜して設けたことを特徴とする請求項１記載の接続装置。
【請求項３】
前記カメラ付表示装置一体型記録再生装置が設置された時点で、前記カメラ付表示装置一体型記録再生装置の裏面に配された信号入出力系及び電源系等の前記接続切片が電気的接続される接続切片を設けたことを特徴とする請求項１記載の接続装置。
【請求項４】
前記カメラ付表示装置一体型記録再生装置と同様の操作をするための操作ボタンとコントロール信号用リモート端子を配置し、前記カメラ付表示装置一体型記録再生装置が接続された際には、前記コントロール信号用リモート端子を介して前記カメラ付表示装置一体型記録再生装置と電気的に接続され、記録媒体のイジェクト及び前記カメラ付表示装置一体型記録再生装置の記録、再生、停止、巻き戻し、早送り、特殊再生、編集等の動作を前記操作ボタンの操作で行えるようにしたことを特徴とする請求項１記載の接続装置。
【発明の詳細な説明】
【０００１】
【発明の属する技術分野】
本発明は、カメラ付表示装置一体型記録再生装置とＴＶや据置き型ＶＴＲ等の電気機器を接続するための接続装置に関する。
【０００２】
【従来の技術】
近年、ビデオカメラは小型・軽量化が進み、カメラ一体型や液晶モニタを搭載したムービー等が主流になっている。
【０００３】
これらの記録装置には、録画のみならず再生や編集機能が装備され、それ一台で録画した画像を再生したり、ＴＶ等の出力装置や据え置き型ＶＴＲ等に接続することで再生及び編集がおこなえる。
【０００４】
これまでは、他の電気機器と記録装置を接続する場合、信号ケーブルを介して相互の機器に設けられた映像信号接続端子、音声信号用接続端子、及び電源接続用端子を連結していた為に、作業が極めて煩雑となっていた。
【０００５】
そこで、上記の問題点を改善する技術として、特開平５−５６３１８号公報には、バッテリー取付け部の周辺に映像信号用端子及び電源接続用端子を設けたアダプタにより、カメラ一体型ＶＴＲと他の電気機器との接続作業やバッテリーの充電作業が容易になる記録再生装置用接続装置について述べられている。
【０００６】
また、特開平６−２５３１８７号公報には、カメラ一体型ＶＴＲを本体に収納することで電気的接続が行え、据え置き型ＶＴＲに類似した外観形状及び操作性が得られるカメラ一体型ＶＴＲ用アダプタについて述べられている。
【０００７】
【発明が解決しようとする課題】
しかしながら、特開平５−５６３１８号公報に示された技術では、カメラ一体型記録再生装置と他の電気機器を接続する際に、まず記録再生装置本体に取り付けるアダプタを記録再生装置用接続装置に接続せねばならず、更にバッテリーを充電する際にも接続装置本体とバッテリーを予め接続する必要があり、従来方法より接続操作が若干改善されるもののやはり繁雑になりがちであった。
【０００８】
またこれまで、上記特許の実施の形態にも示されているように、記録装置は接続装置に対して垂直に取付られていた。
【０００９】
しかし、この取付姿勢では、記録装置の設置面積を十分に確保できず、更に記録装置の重心が接続装置に対して高い位置になる。
【００１０】
そのために、記録装置の固定状態は不安定になりがちであり、かつ外観もコンパクトになりにくく、まとまりの点でも好ましくなかった。
【００１１】
また、記録装置の安定性が低下するに伴って、記録装置上の操作ボタンは押圧しにくくなるために、記録装置の操作性も低下していた。
【００１２】
更に、現在普及している液晶モニタ搭載のカメラ一体型記録再生装置等を接続装置に取り付けた場合には、再生画面の確認がおこないにくく、編集の作業性も低下していた。
【００１３】
一方、特開平６−２５３１８７号公報に示された技術は、アダプタ内部にカメラ一体型ＶＴＲ本体を収納する方法である為に、アダプタ自体の外形が大きくなるばかりか、記録再生装置の形状及び媒体取出し口の設置位置にも大きな制約が施されていた。
【００１４】
そこで、本発明では上記課題を鑑み、記録装置が容易にかつ確実に取り付けられて、取付後の形態もコンパクトになり、電気機器との接続作業が煩雑にならない記録再生装置用接続装置を提供する。
【００１５】
また、液晶モニタ搭載の記録再生装置を接続装置に取付けた際にも、液晶モニタでの再生画面を確認し易くさせる。
【００１６】
更に、接続装置に記録装置を密着させた固定状態でも、記録装置内の記録媒体が出し入れできると共に、記録装置の操作性を向上させた記録再生装置用接続装置を提供する。
【００１７】
【課題を解決するための手段】
本発明の接続装置には、上記問題点を解決するため、カメラ部と該カメラ部により撮像した画像を記録再生する記録再生装置と前記画像を表示する表示装置を備え、かつ、裏面には、記録媒体取出し蓋と、信号入出力系及び電源系の接続切片が設けられたカメラ付表示装置一体型記録再生装置が着脱自在に電気的かつ機械的に接続される接続装置であって、前記カメラ付表示装置一体型記録再生装置の前記接続切片が設けられた面がスライドして取付けられる取付け面を有し、かつ前記記録媒体取出し蓋が開閉する対向位置に、前記記録媒体取出し蓋の開閉のための空間を確保する逃げ凹部を設け、前記カメラ付表示装置一体型記録再生装置の設置状態においても、前記カメラ付表示装置一体型記録再生装置内に収納された記録媒体の出し入れを可能にしている。
【００１８】
また、その記録装置のスライド面に対向した接続装置の記録装置取り付け面に、映像信号及び音声信号の入出力端子、コントロール信号用リモート端子及び電源用端子等の接続切片を備えつけ、かつ前面パネルには動作が記録装置と連動した大型の操作ボタンを設けることで、前面パネルから記録装置を容易に操作可能にする。
【００１９】
【発明の実施の形態】
以下、本発明による実施の形態を図面に基づいて説明する。
【００２０】
図１及び図２及び図３は、本発明に係わる接続装置の構成図である。
【００２１】
カメラ付表示装置一体型記録再生装置１０において、表面１４には図示したように液晶モニタ１５が、一方、図示していない裏面１３には記録媒体１２を出し入れする媒体取り出し蓋１１が備え付けられている。
【００２２】
また、カメラ付表示装置一体型記録再生装置１０の裏面１３には、カメラ２３、カメラ付表示装置一体型記録再生装置１０と接続装置１を接続するための映像信号及び音声信号の入出力端子１７ａ、コントロール信号用リモート端子１７ｂ及び電源用端子１７ｃ等の接続切片類１７が配備されている。
【００２３】
一方、本発明の接続装置１には、カメラ付表示装置一体型記録再生装置１０の記録媒体取出し蓋１１裏面１３を固定するためのカメラ付表示装置一体型記録再生装置取り付け面１６が形成されている。
【００２４】
ここで、このカメラ付表示装置一体型記録再生装置取り付け面１６は、接続装置１の設置面１８に対して傾斜して形成されている。
【００２５】
また、カメラ付表示装置一体型記録再生装置取り付け面１６には、カメラ付表示装置一体型記録再生装置１０裏面１３に配設された接続切片類と対向する位置に、映像信号及び音声信号の入出力端子、コントロール信号用リモート端子及び電源用端子等の接続切片類１７が備えられている。
【００２６】
更に、接続装置１の前面パネル９には、カメラ付表示装置一体型記録再生装置１０の媒体取り出し蓋１１を閉蓋する閉蓋用スイッチ７、及びコントロール信号用リモート端子１７ｂによってカメラ付表示装置一体型記録再生装置に動作を連動させた操作ボタン３が配設される。
【００２７】
ここで、２はイジェクトボタン、３は再生、ストップ等の操作ボタンである。なお、接続装置１には、ＡＣ電源コード２０が備え付けられ、これにより家庭用コンセントから直接電源が供給されている。
【００２８】
また、接続装置１と外部電気機器８に備えられた映像及び音声端子２１は、接続装置１にカメラ付表示装置一体型記録再生装置１０を設置する前に、予め信号ケーブル６により接続されている。
【００２９】
図２は、本発明に係わる実施の形態を説明する一例である。以下、同図に基づき本発明の接続装置及びその使用方法について説明する。
【００３０】
最初に、接続装置１にカメラ付表示装置一体型記録再生装置１０を設置する取付方法に関して説明する。
【００３１】
まず、接続装置１のカメラ付表示装置一体型記録再生装置取り付け面１６上端部にカメラ付表示装置一体型記録再生装置１０の記録媒体取出し蓋１１裏面１３の下端部を当接させる。
【００３２】
その後、接続装置１のカメラ付表示装置一体型記録再生装置取り付け面１６に記録媒体取出し蓋１１側裏面１３をスライドさせることで、カメラ付表示装置一体型記録再生装置１０が接続装置１の上側から徐々に挿入されていく。
【００３３】
そして、カメラ付表示装置一体型記録再生装置１０が接続装置１に対して十分に挿入されると、カメラ付表示装置一体型記録再生装置１０の下端面１９がカメラ付表示装置一体型記録再生装置取り付け面１６の下端面５に当接して固定される。
【００３４】
ここで、接続装置１に形成されたカメラ付表示装置一体型記録再生装置取付け面６は、接続装置１の設置面１８に対して傾斜しているために、そこに取り付くカメラ付表示装置一体型記録再生装置１０も接続装置１の設置面１８に傾斜した姿勢で固定される。
【００３５】
従って、カメラ付表示装置一体型記録再生装置１０は接続装置１に確実に固定され、外観も極めてコンパクトになるために、まとまりが良好となる。
【００３６】
また、これまでのようにカメラ付表示装置一体型記録再生装置上の操作ボタンが押圧しにくくなったり、操作性の低下を招くこともない。
【００３７】
更に、カメラ付表示装置一体型記録再生装置１０が傾斜して固定されるために、液晶モニタ１５搭載のカメラ付表示装置一体型記録再生装置１０を設置した場合でも、再生画面は確認し易くなり、録画画像の再生及び編集も行ない易い。
【００３８】
ところで、図３に示すように、このカメラ付表示装置一体型記録再生装置１０の記録媒体取出し蓋１１と対向するカメラ付表示装置一体型記録再生装置取り付け面１６には、媒体取り出し蓋１１と比べて一回り大きな幅を有する逃げ凹部４が設けられている。
【００３９】
これにより、カメラ付表示装置一体型記録再生装置１０に配設された媒体取り出し口の蓋１１を開閉した際に、蓋１１が接続装置１のカメラ付表示装置一体型記録再生装置取り付け面１６に当たって開蓋できなくなる事態を回避し、記録媒体１２が取り出される為の充分なスペースを確保できるために、接続装置１にカメラ付表示装置一体型記録再生装置１０の裏面１３を密着させて固定した状態においても、記録媒体１２を取り出すことが可能である。
【００４０】
また、ここでカメラ付表示装置一体型記録再生装置１０が接続装置１に固定されると、接続装置１のカメラ付表示装置一体型記録再生装置取り付け面１６及びそれと対向するカメラ付表示装置一体型記録再生装置１０の裏面１３に配設された接続切片類１７が互いに接合して、電気的に接続される。
【００４１】
この接続装置１上に配設された入出力切片１７ａは、接続装置１内部で接続装置１の他面に備えられた入出力端子２１と接触し、予め信号ケーブル６によって接続された外部電気機器に接続されることになる。
【００４２】
一方、コントロール信号用リモート端子１７ｂは、接続装置１の前面パネル９に配置された大型形状のイジェクトボタン２、再生、ストップ等の操作ボタン３に接続装置１内部で接続されている。
【００４３】
これにより、接続装置１の前面パネル９に配置された操作ボタンの信号は、接続装置１のカメラ付表示装置一体型記録再生装置取付け部に備えられた接続切片を通って、カメラ付表示装置一体型記録再生装置１０本体に伝えられる。
【００４４】
従って、接続装置１に取り付けた状態でカメラ付表示装置一体型記録再生装置１０を動作させる際に、カメラ付表示装置一体型記録再生装置１０に配置された小さな操作ボタンの代わりに接続装置１に配置された大型形状の操作ボタン３を用いることで、接続装置側からカメラ付表示装置一体型記録再生装置の動作を容易に操作可能となり、操作性が更に向上する。
【００４５】
【発明の効果】
以上のように、本発明の接続装置に、カメラ付表示装置一体型記録再生装置が容易かつ確実かつコンパクトに取り付け出来ると共に、カメラ付表示装置一体型記録再生装置と外部の電気機器との接続作業が煩雑にならない。
【００４６】
また、液晶モニタ搭載のカメラ付表示装置一体型記録再生装置を接続装置に設置しても再生画面が確認し易いという利点を有している。
【００４７】
更に、接続装置にカメラ付表示装置一体型記録再生装置を固定した状態のままでも、接続装置上に配置された操作ボタンから、記録媒体の取り出し及びカメラ付表示装置一体型記録再生装置の操作を可能とし、操作性を向上できる。
【図面の簡単な説明】
【図１】本発明に係わる接続装置の構成図である。
【図２】本発明に係わる接続装置の使用方法を説明する図である。
【図３】イジェクト動作及び記録媒体取り出し蓋の開閉動作を説明する図である。
【符号の説明】
１    接続装置
２    イジェクトボタン
３    操作ボタン
４    逃げ凹部
５    カメラ付表示装置一体型記録再生装置取り付け面の下端面
６    信号ケーブル
７    閉蓋用スイッチ
８    外部電気機器
９    前面パネル
１０    カメラ付表示装置一体型記録再生装置
１１    媒体取り出し蓋
１２    記録媒体
１３    カメラ付表示装置一体型記録再生装置の裏面
１４    カメラ付表示装置一体型記録再生装置の表面
１５    液晶モニタ
１６    カメラ付表示装置一体型記録再生装置取付面
１７    接続切片
１７ａ    映像信号及び音声信号の入出力端子
１７ｂ    コントロール信号用リモート端子
１７ｃ    電源用端子
１８    接続装置の設置面
１９    カメラ付表示装置一体型記録再生装置の下端面
２０    ＡＣ電源コード
２１    映像及び音声端子
２３    カメラ
【図１】
0003590537.tif 000002
【図２】
0003590537.tif 000003
【図３】
0003590537.tif 000004